(57)【特許請求の範囲】
【請求項１】
遊技盤面に取り付けられ、打球発射装置によって発射される打球を遊技領域へと誘導する打球誘導路を内レールと共に形成する外レールを備え、遊技盤は中枠を構成する枠部材に取り付けられた固定具によって該中枠に保持固定される構成とされた遊技機であって、以下の構成を備えていることを特徴とする遊技機。
（１）前記外レールは合成樹脂成形品によって構成され、当該成形品の背面側に一体に突設された圧入ピンにより、前記遊技盤面のピン孔へと圧入することによって取り付けられる構造となっていること。
（２）前記合成樹脂成形品の背面に、遊技盤の側面側に向かって先端が飛び出す様に、金属プレートが固定されていること。
（３）前記中枠に取り付けられた固定具の内の少なくとも一つは導電性を有し、該導電性を有する固定具は、前記遊技盤を中枠に対して固定したときに前記金属プレートの先端を遊技盤の表面との間に挟み付ける位置に取り付けられていること。
（４）前記金属プレートを遊技盤表面との間に挟み付ける位置に取り付けられている固定具をアース接続するアース導通部材を備えていること。
【請求項２】
さらに、以下の構成をも備えていることを特徴とする請求項１記載の遊技機。
（５）前記外レールは、前記遊技盤の隅部に取り付けられるのコーナー飾りの内の少なくとも左側上下のコーナー飾りを連結一体化した合成樹脂製の枠飾り部品の遊技領域側の側面を構成する様に、該枠飾り部品と一体に成形され、前記圧入ピンは、該枠飾り部品側の背面に形成されていること。
（６）前記枠飾り部品のコーナー飾りの遊技盤の側面の側には、遊技領域の方向に向かって窪んだ窪み部が形成され、該窪み部に先端が飛び出す様に、前記金属プレートが該コーナー飾りの背面に固定されていること。
【請求項３】
さらに、以下の構成をも備えていることを特徴とする請求項２記載の遊技機。
（７）前記コーナー飾りの窪み部の縁部には、背面から切り込み部が形成され、前記金属プレートの先端は、該切り込み部から前記窪み部へと先端が飛び出す様に、前記コーナー飾りの背面に固定されていること。
【請求項４】
さらに、以下の構成をも備えていることを特徴とする請求項２又は３のいずれか記載の遊技機。
（８）前記外レールの前記内レールに対面する側の面には、レール幅の中心部に沿って打球を誘導する誘導溝を形成したこと。
【請求項５】
さらに、以下の構成をも備えていることを特徴とする請求項２〜４のいずれか記載の遊技機。
（９）前記枠飾り部品は背面側が開放された箱枠状に構成され、該箱枠状の部分の空間内に、前記外レール側の側面をその裏面側から押圧する様に、前記枠飾り部品とは別体のスペーサ部材を装着してあること。
【請求項６】
さらに、以下の構成をも備えていることを特徴とする請求項５記載の遊技機。
（１０）前記スペーサ部材は、帯板状の平板部と、該平板部の裏面に突設されたリブとを備えた合成樹脂一体成形品であること。
（１１）前記枠飾り部品の前記スペーサ部材を装着する箱枠状の部分の空間には、前記外レール側の側面から前記スペーサ部材の平板部の板厚とほぼ同じ距離だけ離して正面から背面に向かって伸びる突起が、前記打球の着弾位置を跨ぐ様に、前記枠飾り部品と一体に成形されていること。
【発明の詳細な説明】
【技術分野】
【０００１】
本発明は、パチンコ機、アレンジボール機、雀球機等の遊技機に係り、特に、その遊技盤面に配設される打球誘導レールに関する。
【背景技術】
【０００２】
一般的に、パチンコ機には金属製の帯板を渦巻状に屈曲させ、遊技盤面に複数箇所を釘止めして打球誘導レールを取り付けている。この打球誘導レールの外レールは遊技球を遊技領域へとスムーズに誘導するためのものである。
【０００３】
しかし、金属製帯板の釘止め作業が面倒であることや装飾性に欠けることなどから、誘導レールを合成樹脂化する提案もなされている（特許文献１）。
【０００４】
特許文献１は、図１４（Ａ）に示す様に、外レールユニット、中間レールユニット及び内レールユニットを、互いの舌片を重ねて結合ピンにより連結し、レールユニット裏側に一体成形されている圧入ピンで遊技盤への装着を行う構成となっている。
【０００５】
ところが、合成樹脂製の外レールを採用した場合、外レールへの遊技球の着地に起因して静電気ノイズが発生するおそれが指摘され、その対策も提案されている（特許文献２）。
【０００６】
特許文献２は、図１４（Ｂ）に示す様に、外レールのうち発射手段で発射された遊技球が着地する着地点付近に導電性部材を設け、外レールへの遊技球の着地に起因することにより発生する静電気ノイズを、導電性部材からパチンコ機の外部へ誘導するノイズ誘導手段を設ける構成となっている。
【０００７】
しかしながら、特許文献２の技術では、導電性部材と合成樹脂とを用いて外レールを成形するか、あるいは合成樹脂製レールの一部に導電性部材を装着する必要があり、製造コストが上昇するという問題がある。また、遊技盤下部の発射装置や球通路等が取り付けられる位置からアースをとるための配線等を接地しなければならないという組立上の手間も増大するという問題がある。
【０００８】
金属製の外レールを採用した遊技機での外レールからアースをとる方法は種々提案され、それぞれの手法について特許されている（特許文献３〜１１）。
【０００９】
特許文献３は、図１５（Ａ）に示す様に、外レールの側部に取り付けたガイド体の下端部に、天然ゴム等を基材とした導電物で形成した導電性弾性体の平板をガイド側板を貫通して両側に突出させて外レールの下面と密着する様に取り付け、外レールに発生する静電気を、「外レール」→「導電性弾性体」→「金属製下前枠」へと逃がすことを提案している。
【００１０】
特許文献４は、図１５（Ｂ）に示す様に、板金製導電性部材を、前枠に開閉自在に枢着された板金製開閉板から後向きに突設されたボスにネジ止め固定し、開閉板の背後に閉空間を形成するカバー板部の通孔から先端を突出させる様に取り付け、前面開閉扉を閉じると、導通部材の屈曲部の凸面側が外レールの外面側に摺接し、且つ突設部の弾性力によって押し付けられた状態となる構造を提案している。
【００１１】
特許文献５は、図１５（Ｃ）に示す様に、板金材を折り曲げることによって形成されたガラス受けレールの裏側に導通部材を取り付け、ガラス扉を閉じると、導通部材の屈曲部の凸面側が外レールの外面側に摺接し、且つ突設部の弾性力によって押し付けられた状態となる導通構造を提案している。
【００１２】
特許文献６は、図１６（Ａ）に示す様に、金属製で略コの字形状に折り曲げて弾性部を形成した導通部材を前枠の左上方に取り付け、この導通部材を弾性部の付勢力で外レールに接触させ、外レールを導通部材を介して中継基板に接続させ、中継基板を介して接地可能な構造を提案している。
【００１３】
特許文献７は、図１６（Ｂ）に示す様に、導電性のガイドレールを、弾性接触端子を介してリード線にアース接続するとともに、そのリード線を飾り部材内に配設して美観を損なわない様にした構造を提案している。 
【００１４】
特許文献８は、図１７（Ａ）に示す様に、外バンドと内バンドを接続金具及び反動体で接触させると共に、内バンドを嵌り込ませるスリットを有するバンド接触部を備えた部品取付体を遊技機枠に設けられた金属製の機構枠に接続することを提案している。
【００１５】
特許文献９は、図１７（Ｂ）に示す様に、レール飾りの裏側に配置されるベース部材からから導電性のアース部材を突出させてレールに接触させると共に、アース部材をアース線に接続し、レンズ部材で覆う様にした構造を提案している。
【００１６】
特許文献１０は、図１８（Ａ）に示す様に、外レールに外接する様に板金を取り付け、ガラス枠の裏面に取り付けられた金属製の包囲プレートに折曲部を形成し、ガラス枠を閉じたときに、折曲部と板金が接触する構造を提案している。
【００１７】
特許文献１１は、図１８（Ｂ）に示す様に、遊技盤の遊技領域外の側縁部前面に、前枠を閉じたときに、板バネ材を屈曲形成した弾性導電部材を、前枠を閉じたときに外レールとガラス支持枠とを接触させる様に、遊技盤あるいは裏セット板にビス止めし、あるいはガラス支持枠に溶着する構成を提案している。
【先行技術文献】
【特許文献】
【００１８】
【特許文献１】特開２０１０−１３１４４４（図３，５）
【特許文献２】特開２００２−２８２４４８（図３）
【特許文献３】特許第２８２２７５９号（図２，３）
【特許文献４】特許第３６４５１８６号（図８）
【特許文献５】特許第３６４６８７４号（図８）
【特許文献６】特許第３７３２７９８号（図６〜８）
【特許文献７】特許第３８３０８１５号（図４〜６）
【特許文献８】特許第４１１２２１６号（図２）
【特許文献９】特許第４１３２７７４号（図３，４）
【特許文献１０】特許第４２１８６０７号（図９，１３）
【特許文献１１】特許第４４１８９９３号（図１３，１５，１６）
【発明の概要】
【発明が解決しようとする課題】
【００１９】
これら特許されているアース方法は、遊技島内で搬送される際に遊技球自体に帯電してしまった静電気を外レールが金属製であることを利用して除去するものであって、合成樹脂製レールが打球に擦られて静電気を帯びるという問題を解決する方法ではなく、特許文献２が変形態様として揚げた様に、外レール全体を導電性樹脂により一体成形した様な場合にしか適用することができない。
【００２０】
そこで、本発明は、外レールを合成樹脂製とした場合に打球に擦られることによって合成樹脂側に帯電する静電気を的確に除去することができ、しかも、そのための部品の取り付けを煩雑とすることがない様にした遊技機を提供することを目的とする。
【課題を解決するための手段】
【００２１】
かかる目的を達成するためになされた本発明の遊技機は、遊技盤面に取り付けられ、打球発射装置によって発射される打球を遊技領域へと誘導する打球誘導路を内レールと共に形成する外レールを備え、遊技盤は中枠を構成する枠部材に取り付けられた固定具によって該中枠に保持固定される構成とされた遊技機であって、以下の構成を備えていることを特徴とする。
（１）前記外レールは合成樹脂成形品によって構成され、当該成形品の背面側に一体に突設された圧入ピンにより、前記遊技盤面のピン孔へと圧入することによって取り付けられる構造となっていること。
（２）前記合成樹脂成形品の背面に、遊技盤の側面側に向かって先端が飛び出す様に、金属プレートが固定されていること。
（３）前記中枠に取り付けられた固定具の内の少なくとも一つは導電性を有し、該導電性を有する固定具は、前記遊技盤を中枠に対して固定したときに前記金属プレートの先端を遊技盤の表面との間に挟み付ける位置に取り付けられていること。
（４）前記金属プレートを遊技盤表面との間に挟み付ける位置に取り付けられている固定具をアース接続するアース導通部材を備えていること。
【００２２】
本発明の遊技機によれば、外レールの取り付けは合成樹脂成形品として背面側に一体に突設された圧入ピンを遊技盤面のピン孔へと圧入することによって行うことができるので、取付位置を正確なものとすることができる。この取り付け位置が正確なものとなる結果、金属プレートの先端も設計通りの位置で遊技盤表面に露出することになる。従って、中枠に遊技盤を組み付けて保持固定したときに中枠側の導電性固定具によって遊技盤表面との間に挟み付けられた状態を的確に実現することができる。従って、この外レールが打球と擦れる際に外レールを構成する合成樹脂部品に蓄積された静電気は、金属プレートから中枠側の導電性固定具を介してアース導通部材へと放出され除去される。また、導電性固定具と遊技盤の間に挟み付ける構成であるから、金属プレートを複雑に屈曲させてバネ性を与える必要のなく部品加工コストも増大させることがない。
【００２３】
本発明の遊技機は、さらに、以下の構成をも備えるとよい。
（５）前記外レールは、前記遊技盤の隅部に取り付けられるのコーナー飾りの内の少なくとも左側上下のコーナー飾りを連結一体化した合成樹脂製の枠飾り部品の遊技領域側の側面を構成する様に、該枠飾り部品と一体に成形され、前記圧入ピンは、該枠飾り部品側の背面に形成されていること。
（６）前記枠飾り部品のコーナー飾りの遊技盤側面側には、遊技領域の方向に向かって窪んだ窪み部が形成され、該窪み部に先端が飛び出す様に、前記金属プレートが該コーナー飾りの背面に固定されていること。
【００２４】
少なくとも左側上下のコーナー飾りを連結一体化した枠飾り部品とは、右側のコーナー飾りも一体化させた枠飾り部品を含んでもよいという意味である。少なくとも左側上下のコーナー飾りを連結一体化させた枠飾り部品であれば、外レールが遊技領域へと遊技球を飛び出させる位置までをカバーできるからである。そして、枠飾り部品と一体に成形することにより、外レールが頑丈なものとなること、枠飾り部品の取り付けにより、外レールの取り付けが同時に実行できることなど多くのメリットがある。また、金属プレートの取り付け位置として十分な領域を合成樹脂成形品の背面側に取ることができるというメリットや、窪み部を有することにより、前枠側のスペーサ用突起の形成箇所も設計し易いというメリットもある。そして、
【００２５】
枠飾り部品と外レールとを一体成形品とした遊技機は、さらに、以下の構成をも備えるとよい。
（７）前記コーナー飾りの窪み部の縁部には、背面から切り込み部が形成され、前記金属プレートの先端は、該切り込み部から前記窪み部へと先端が飛び出す様に、前記コーナー飾りの背面に固定されていること。
【００２６】
コーナー飾りの窪み部の縁部に切り込み部を形成することにより、コーナー飾りが遊技盤面から浮き上がることなく金属プレートを取り付けることができ、金属プレートの先端の飛び出し位置もこの切り込み部によって予定通りの位置とすることができるからである。
【００２７】
これら本発明の遊技機は、さらに、以下の構成をも備えるとよい。
（８）前記外レールの前記内レールに対面する側の面には、レール幅の中心部に沿って打球を誘導する誘導溝を形成したこと。
【００２８】
誘導溝によって外レールのレール幅の中心部に沿って打球を誘導することができるので、打球の進路を安定させることができる。打球をレール幅の中心部に沿わせる結果、打球との擦れは外レールとの間で発生し、外レールへの静電気の蓄積の可能性が高まるが、上述の様に静電気除去を的確に実施しているので問題を生じない。
【００２９】
外レールに誘導溝を備えた遊技機は、さらに、以下の構成をも備えるとよい。
（８Ａ）前記外レールの誘導溝は、打球の着弾位置を上方へ所定距離越えた部分よりも上方の部分から、その溝の深さが上方に向かって徐々に深くなる様に形成されていること。
【００３０】
なお、外レールにいおて平坦面とする部分は着弾位置付近に限らず、下端位置までを平坦面として構わない。かかる構成を備えた本発明の遊技機によれば、誘導溝による規制は、溝の深さが浅い部分ではそれほど強いものではなく、徐々に溝の深さが深くなることで、平坦面との連続性が確保されると共に、レール幅の中心部に沿った状態へと徐々に整えられる。この結果、発射・着弾直後の飛び方が不安定な状態の遊技球は単純な衝突状態となって無理な規制力は作用せず、スムーズな誘導により、遊技球がガラス板や遊技盤に衝突して失速する状態を生じない様にすることができる。
【００３１】
平坦面の先に誘導溝を有する外レールを備えた遊技機は、さらに、以下の構成をも備えるものとするとよい。
（８Ｂ）前記誘導溝は、レール幅の中心部を溝の底として前記遊技盤及び該遊技盤を覆うガラス板に向かって平面部が伸びる横向き外開きの斜面を有する断面形状とされていること。
【００３２】
誘導溝を横向き横向き外開きの斜面を有する断面形状、即ち、横向きＶ字状の溝とすることにより、レール幅の中心部に向かってスムーズに打球を寄せることができる。即ち、打球は遊技盤側の斜面とガラス板側の斜面との二点で接するだけなので、失速し難く、スムーズな誘導を実現することができる。
【００３３】
また、この横向きＶ字状の誘導溝を備える遊技機用打球誘導レールは、さらに、以下の構成をも備えるものとするとよい。
（８Ｃ）前記誘導溝は、前記斜面同士の間の角度が同一角度のままで溝深さが徐々に深くなる様に構成されていること。
【００３４】
例えば、溝深さが徐々に深くなる横向きＶ字状の誘導溝とする方法には、Ｖ字の開き角度を徐々にきつくする方法もあるが、それだと遊技球に対して内レール側に押圧する反作用が強く働き、遊技球の動きを悪くするおそれがある。これに対し、Ｖ字面を構成する斜面同士が同一角度のままで溝深さが徐々に深くなる様に構成することにより、遊技球をその発射方向に沿ってうまく逃がしながら打球を誘導することができる。
【００３５】
また、これら誘導溝を有する外レールを備えた遊技機用打球誘導レールは、さらに、以下の構成をも備えるものとするとよい。
（８Ｄ）前記誘導溝は、徐々に深くなった後に一定の深さでレールの終端まで伸びる様に構成されていること。
【００３６】
例えば、着弾位置付近では外レールに対して遊技球が衝突する態様となるが、その後、外レールが上方へ伸び、内側へ湾曲し始める位置付近からは遊技球と外レールとの接触状態は遠心力の作用による安定した状態となるから、外へ向かう力を逃がす方向へ溝を深くするよりも、一定の接触状態としておく方がより望ましいことや、湾曲形状を設計し易いからである。
【００３７】
また、誘導溝を有する外レールを備えた遊技機は、さらに、以下の構成をも備えるものとするとよい。
（８Ｅ）前記枠飾り部品の遊技領域側の側面の断面形状が、前記誘導溝が形成され始める部分から上方の部分において横向きＹ字状で、前記誘導溝の幅方向両縁が共に自由端となる断面形状に構成されていること。
【００３８】
外レールにＶ字溝となる誘導溝を形成する方法としては、枠飾り部品の遊技領域側の側面の断面形状を横向きＭ字状とすることもできるが、その場合、金型からの脱型に工夫が必要となり、移動式の中子を用いるなどしなければならなくなる可能性があるが、横向きＹ字状とすれば、正面及び背面に向かって斜めに広がるプレート形状の成形体となるから分割中子等を用いなくてもよいからである。また、横向きＹ字状とすることで、ガラス板側の平面も遊技盤側の平面も幅方向の縁が自由端となり、遊技球を受け止めた場合にガラス板側・遊技盤側のいずれの方向にも偏った拘束力を発生させないという利点もある。これにより、打球の誘導がよりスムーズになる。
【００３９】
また、枠飾り部品と一体成形された外レールを備える遊技機は、さらに、以下の構成をも備えるものとするとよい。
（９）前記枠飾り部品は背面側が開放された箱枠状に構成され、該箱枠状の部分の空間内に、前記外レール側の側面をその裏面側から押圧する様に、前記枠飾り部品とは別体のスペーサ部材を装着してあること。
【００４０】
スペーサ部材により、外レールの補強ができると共に、枠飾り部品とは別体であるから、その補強位置を箱枠状部分内で適宜微調整することができるからである。これにより、合成樹脂製としたことによる外レールに強度不足が生じたとしても、これを補うことができる。
【００４１】
このスペーサ部材で補強した遊技機は、さらに、以下の構成をも備えるものとするとよい。
（１０）前記スペーサ部材は、帯板状の平板部と、該平板部の裏面に突設されたリブとを備えた合成樹脂一体成形品であること。
（１１）前記枠飾り部品の前記スペーサ部材を装着する箱枠状の部分の空間には、前記外レール側の側面から前記スペーサ部材の平板部の板厚とほぼ同じ距離だけ離して正面から背面に向かって伸びる突起が、前記打球の着弾位置を跨ぐ様に、前記枠飾り部品と一体に成形されていること。
【００４２】
スペーサ部材が平板部と裏面のリブとによって構成されているので、外レールの湾曲に沿った外へ膨らんだ撓みを有する状態で装着することができる。そして、着弾位置を跨ぐ様に離して突設された複数突起と側面との間に平板部を挟み込む様に取り付けることで、この撓んだ状態を維持することができる。従って、スペーサ部材は撓みを解消する方向への曲げ応力を蓄えることとなり、外レールの着弾位置付近の裏側をしっかりと補強することができる。また、リブによりスペーサ部材自体の補強もなされると共に、補強位置の微調整において、このリブを摘んでスペーサ部材をずらせばよく、調整作業が容易となる。
【発明の効果】
【００４３】
本発明によれば、外レールを合成樹脂製とした場合に打球に擦られることによって合成樹脂側に帯電する静電気を的確に除去することができ、しかも、そのための部品の取り付けを煩雑とすることがない。
【図面の簡単な説明】
【００４４】
【図１】実施例１のパチンコ機の正面図である。
【図２】実施例１のパチンコ機の分解斜視図である。
【図３】実施例１のパチンコ機の中枠の正面図である。
【図４】実施例１のパチンコ機の中枠の背面図である。
【図５】実施例１のパチンコ機の外枠に中枠を組み付けた状態の斜視図及び要部拡大斜視図である。
【図６】実施例１のパチンコ機の外枠に中枠を組み付けた状態の斜視図及び要部拡大斜視図である。
【図７】実施例１のパチンコ機の中枠下部前面の部品を取り外した状態の正面図である。
【図８】実施例１のパチンコ機の中枠に遊技盤を組み付けた状態の正面図である。
【図９】実施例１のパチンコ機の遊技盤の正面図である。
【図１０】実施例１のパチンコ機の左側枠飾り部品を示し、（Ａ）は平面図、（Ｂ）は左側面図、（Ｃ）は正面図、（Ｄ）は右側面図、（Ｅ）は背面図、（Ｆ）は底面図である。
【図１１】実施例１のパチンコ機の左側枠飾り部品を示し、（Ａ）は背面図、（Ｂ）はＡ−Ａ断面図及び要拡大端面図、（Ｃ）はＢ−Ｂ断面図及び要部拡大端面図、（Ｄ）はＣ−Ｃ断面図及び要部拡大端面図である。
【図１２】実施例１のパチンコ機の左側枠飾り部品の要部を拡大図で示した説明図である。
【図１３】実施例１のパチンコ機の上側枠飾り部品を示し、（Ａ）は平面図、（Ｂ）は左側面図、（Ｃ）は正面図、（Ｄ）は右側面図、（Ｅ）は底面図、（Ｆ）は背面図である。
【図１４】従来技術（特許文献１、特許文献２）の説明図である。
【図１５】従来技術（特許文献３〜特許文献５）の説明図である。
【図１６】従来技術（特許文献６、特許文献７）の説明図である。
【図１７】従来技術（特許文献８、特許文献９）の説明図である。
【図１８】従来技術（特許文献１０、特許文献１１）の説明図である。
【発明を実施するための形態】
【００４５】
以下、本発明の実施形態として、具体的な実施例を図面に基づき詳細に説明する。
【実施例１】
【００４６】
［１  遊技機全体の概要］
実施例１のパチンコ機を、図面に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００４７】
実施例１のパチンコ遊技機Ｐは、図１，図２に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００４８】
中枠Ｂは、図３〜図６に示す様に、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００４９】
上枠部材Ｂ１の裏側には、設置枠台等に設けられた外部球供給設備から供給されるパチンコ球を貯留する球タンクＢ６が、当該上枠部材Ｂ１の左右幅の略全幅に亘って設けられている。この球タンクＢ６は、遊技盤保持部Ｂ５に配設された遊技盤１の上部位置と前後に重なるよう構成されて、遊技盤１の上下寸法を最大限大きくし得るようになっている。
【００５０】
［２  遊技盤の概要］
遊技盤１には、図１に示す様に、図柄変動表示装置（液晶表示装置）２を備えたセンター役物３が配置されている。このセンター役物３のすぐ下には始動入賞口１１が配置されていて、この始動入賞口１１に遊技球が入賞すると液晶表示装置２に表示される図柄が変動を開始する。また、遊技盤１には、これらの部品の他にも、液晶表示装置２を取り巻く様に配置されてセンター役物３を構成する大型装飾部品（センター飾り）１２、特別入賞口１３、案内車及び障害釘（図示略）、アウト口１５、左下普通入賞口１６、右下普通入賞口１７等の各種部品が取り付けられている。
【００５１】
［３  誘導レールの概要］
遊技盤１の前面は、図７に示す様に、ガラス板を保持した前枠Ｄによって覆われ、ガラス板を通して見える略円形の遊技領域１０を備える。この遊技領域１０は、図８，９に示す様に、盤面をアウト口１５を下端とする略円形の領域に区画する様に遊技盤１に取り付けられた誘導レール２０の内側領域として形成されている。
【００５２】
誘導レール２０は、図９に示す様に、外レール２１、上レール２２、右レール２３、及び内レール２４から構成され、外レール２１と内レール２２の間に、打球発射装置Ｇによって発射された打球を遊技領域１０へと誘導する打球誘導路Ｌが形成される。この打球誘導路Ｌの終点部となるる内レール２４の上端には、戻り防止片２５が取り付けられている。
【００５３】
［４  打球の誘導］
打球発射装置Ｇは、図３，図８に示す様に、中枠Ｂの前面下部に備えられ、主要な部品として、操作ハンドルＧ１、ボリュームスイッチＧ２、発射ハンマーＧ３及び発射レールＧ４と、制御基板（図示略）とを備えている。その動作は、操作ハンドルＧ１の回転角度に応じてボリュームスイッチＧ２の抵抗値を変化させ、その抵抗値に見合った回転数で発射モーター（図示略）を駆動し、発射レールＧ４の下端部に補充されている遊技球を発射ハンマーＧ３が打撃することにより、遊技球が発射レールＧ４に射出方向をガイドされた状態で発射される。
【００５４】
発射レールＧ４は、図３，図８に示す様に、左上がりの傾斜路となっており、遊技球ｐｑを左斜め上方に向かって飛び出させる。発射レールＧ４から飛び出した遊技球ｐｑは、飛び出し方向にそのまま真っ直ぐ飛ぶのではなく、図８に矢印Ｍで示す様に、重力の影響を受けて放物線を描く様に飛翔し、図示の着弾位置Ｎの付近で外レール２１に受け止められる。そして、その後は、外レール２４の湾曲に沿って打球誘導路Ｌ内を誘導されて上昇し、戻り防止片２５を押しのけて遊技領域１０へと飛び出す。
【００５５】
なお、発射レールＧ４と外レール２１の間には、操作ハンドルＧ１の操作量が小さすぎるなどの理由で失速して打球誘導路Ｌから飛び出すことのできなかった遊技球の戻し用の切れ目Ｑが形成されている。
【００５６】
［５  外レールの特徴１（合成樹脂一体成形品）］
外レール２１は、図１０に示す様に、遊技盤１の隅部に取り付けられるのコーナー飾りの内の左側上下のコーナー飾り３１，３２を連結一体化した合成樹脂製（ナイロン製）の左側枠飾り部品３０の右側面（遊技領域側の側面）を構成する様に、この左側枠飾り部品３０と一体に合成樹脂による射出成形で製造されている。
【００５７】
左上コーナー飾り３１は、左上コーナー上部平板部３１ａ１と左上コーナー下部平板部３１ａ２とで高さが異なるものとなっており、左下コーナー飾り３２は、左上コーナー下部平板部３１ａ２と面一となる左下コーナー平板部３２ａを備えている。
【００５８】
また、各コーナー飾り３１，３２は、それぞれの平板部３１ａ１，３１ａ２，３２ａの周縁部から後方に伸びる側壁部３１ｂ１，３１ｂ２，３２ｂを備え、背面側が開放された箱枠状の部分として構成されている。これら側壁部３１ｂ１，３１ｂ２，３２ｂの末端（遊技盤側の端面）は面一となり、かつ、上下のコーナー飾り３１，３２の左側の側壁部は帯板状に連続一体化されている。
【００５９】
さらに、各コーナー飾り３１，３２の高い方の平板部３１ａ２，３２ａは左側面から遊技領域の方向に向かって窪んだ窪み部３３，３４を備えた形状とされている。また、各コーナー飾り３１，３２の平板部３１ａ１，３１ａ２，３２ａの背面側には、後方へ伸びる圧入ピン４１が、各コーナー飾り３１，３２に対して２本ずつ、コーナー飾り３１，３２の上端部及び下端部に距離をあけて一体成形によって突設されている。さらに、左上コーナー飾り３１の左上コーナー上部平板部３１ａ１の中程と、左下コーナー飾り３２の平板部３２ａの下端部には、それぞれ位置決め用のピン４２を挿通することもできる様に挿通孔３１ｃ，３２ｃも形成されている。そして、左上コーナー上部平板部３１ａ１の裏面には、挿通孔３１ｃのボス３１ｄを上端角部とする矩形状の範囲に井桁状にリブ３１ｅが一体に形成されている。
【００６０】
［６  外レールの特徴２（誘導溝）］
また、図１０，図１１に示す様に、外レール２１の内レール２４に対面する側の面は、下端から打球の着弾位置Ｎの付近までを平坦面２１ａとし、着弾位置Ｎよりも上方側へ所定距離だけ越えた位置から、レール幅の中心部に沿って打球を誘導する誘導溝２１ｂを備えている。
【００６１】
この誘導溝２１ｂは、図１１に示す様に、レール幅の中心部を溝の底２１ｃとして遊技盤１及び遊技盤１を覆うガラス板に向かって平面部が伸びる横向き外開きの斜面２１ｄ，２１ｅを有する断面形状とされている。また、誘導溝２１ｂの溝深さｄは、上方に向かって徐々に深くなる様に構成されていて、図１１のＢ−Ｂ断面の付近から上方は一定深さで上端まで続く様に構成されている。なお、誘導溝２１ｂの形成されている範囲において外レール２１の湾曲形状は、下端から上方に向かって曲率半径が徐々に増大し、Ｃ−Ｃ断面辺りでほぼ垂直に伸びる状態となった後、上端に向かった曲率半径が徐々に減少していき、上端付近はほぼ一定の曲率半径で湾曲した形状となっている。従って、言い換えれば、誘導溝２１ｂの深さが一定となるＢ−Ｂ断面よりも上の部分は、遊技球ｐｑの遠心力が外レール２１に対してほぼ垂直に作用する範囲ということができる。なお、誘導溝２１ｂの下端は平坦部２１ａの上端と連続しており、溝深さｄ＝０となる様に、誘導溝２１ｂは、斜面２１ｄ，２１ｅ同士の間の角度が同一角度のままで溝深さが徐々に深くなる様に構成されている。
【００６２】
この様な誘導溝２１ｂを形成するに当たり、左側枠飾り部品３０の遊技領域側の側面の断面形状が、誘導溝２１ｂが十分な深さで形成され始める位置Ｒから上方の部分では横向きＹ字状で、斜面２１ｄ，２１ｅの先端が共に自由端となる断面形状に構成されている。このため、左側枠飾り部品３０は、誘導溝２１ｂがレール中心への誘導機能を十分に発揮し始める位置Ｒから上方の部分の正面側にＶ字状正面溝２１ｆが刻設された態様の形状となっているということもできる。なお、このＶ字状正面溝２１ｆは、Ｃ−Ｃ断面とＢ−Ｂ断面とを比べると分かる様に、下端側ほど溝幅が狭くなっている。また、Ｃ−Ｃ断面の辺りには、誘導溝２１ｂの溝底に射出成形時のヒケを防止するための長円状の凹入部２１ｇが設けられている。そして、この凹入部２１ｇの下端よりも下側では、斜面２１ｄ，２１ｅの肉厚が徐々に増大している。これは、前述の様に、溝深さｄを徐々に深くするに当たって、斜面２１ｄ，２１ｅ同士の間の角度を同一角度としていることによる。また、実質的に幅寄せ開始する位置Ｒよりも下方の部分は、平坦面２１ａとの連続性を確保するために溝深さｄが非常に小さくて、図１０（Ｄ）に点線を付した様に、斜面２１ｄ，２１ｅが明瞭には現れず、実質的には誘導機能を発揮し難い部分となっている。なお、本実施例では、この実質的に幅寄せ開始する位置Ｒの直近上側の正面にセル返し当接部２１ｈが突設されている。このセル返し当接部２１ｈは、前枠側に取り付けられたセル返しＡ１（図９の斜線部分参照）を受ける部材である。セル返しＡ１は、図９に示す様に、アウト口１５及び発射レールＧ４と外レール２１の間の切れ目Ｑの辺りを覆って不正行為を防止するための部品である。
【００６３】
［７  外レールの特徴３（着弾位置付近の補強）］
この着弾位置Ｎの付近には、図１０〜図１２に示す様に、左下コーナー飾り３２の箱枠状の部分の空間内に、外レール２１側の側面をその裏面側から押圧する様に、左側枠飾り部品３０とは別体のスペーサ部材５０が装着される。このスペーサ部材５０は、帯板状の平板部５１と、平板部５１の上端裏面に突設されたリブ５２とを備えた合成樹脂一体成形品である。そして、左下コーナー飾り３２の平板部３２ａの裏面にはスペーサ部材５０を装着する際の係合部材として、２本のピン３２ｐ，３２ｐと、爪３２ｑと、挿通孔用ボス３２ｒが背面に向かって伸びる様に一体に突設されている。
【００６４】
ピン３２ｐ，３２ｐは、スペーサ部材５０のリブ５２を間に挟み込む間隔をあけて設けられている。また、爪３２ｑと挿通孔用ボス３２ｒは、外レール２１側の側面からスペーサ部材５０の平板部５１の板厚とほぼ同じ距離だけ離して設けられている。また、スペーサ部材５０の平板部５１に対して、ピン３２ｐ，３２ｐが上端部、爪３２ｑが中間部、挿通孔用ボス３２ｒが下端部を支持する様に離した位置に形成されている。さらに、ピン３２ｐ，３２ｐと挿通孔用ボス３２ｒの外レール側に接する直線Ｓに対して、爪３２ｑはずれた位置にあり、爪３２ｐに対面する外レール２１の内面が直線Ｓにほぼ接する様な位置関係となっている。これにより、スペーサ部材５０の平板部５１は、外レール２１の湾曲状態に倣って外へ膨らむ様に撓みを有する状態で装着される。
【００６５】
従って、スペーサ部材５０は撓みを解消する方向への曲げ応力を蓄えることとなり、外レール２１の着弾位置Ｎの付近の裏側をしっかりと補強するものとして作用する。また、リブ５２によりスペーサ部材５０それ自体の強度アップもなされている。さらに、図１２に示す様に、ピン３２ｐ，３２ｐと外レール２１の内面との距離は平板部５１の板厚よりも広くしてあるので、このリブ５２を摘んでスペーサ部材５０の全体を回す様にしてずらすことで、補強位置を微調整して補強力を微調整することも可能となっている。
【００６６】
［８  遊技盤の脱着］
本実施例において、遊技盤１は、中枠Ｂの上下左右の枠部材Ｂ１〜Ｂ４によって形成された遊技盤保持部Ｂ５に対して、前側から嵌め込まれ、左枠部材Ｂ３の上部と下部に取り付けられている金属製固定具６１，６１で左縁を押さえ付けられると共に、右枠部材Ｂ４の上部と下部に取り付けられている合成樹脂製固定具６２，６２で右縁を押さえ付けられる様にしてしっかりと中枠Ｂに保持固定される。
【００６７】
金属製固定具６１，６１は、遊技盤１の左側枠飾り部品３０の上下の窪み部３３，３４の奥まで達する長さを有するクランプ爪状の部品で構成されている。そして、クランプ爪状の金属製固定具６１，６１は、左側枠飾り部品３０の窪み部３３，３４の位置で遊技盤１の左縁を押さえ付ける様に、垂直軸周りに回動する部品として左枠部材Ｂ３に取り付けられている。なお、この押さえ付けた状態は、図示省略したバネ部材による付勢力でしっかりと維持される様になっている。
【００６８】
合成樹脂製固定具６２，６２は、水平方向に伸びる支軸を備え、水平軸周りに回動操作される摘み状の部品で構成されている。この摘み状の合成樹脂製固定具６２，６２は、遊技盤１の右側上下の円弧状に切り欠いた部分に沿って回動操作され、摘みが遊技盤側に突出する位置まで回動することによって、遊技盤１の右縁を後方へ押し付ける様にしてしっかりと保持固定する機構の部品となっている。
【００６９】
［９  静電気の除去］
本実施例においては、外レール２１を構成する左側枠飾り部品３０の上下のコーナー飾り３１，３２の箱枠状の空間には、窪み部３３，３４に先端７１ａ，７２ａが飛び出す様に、金属プレート７１，７２を取り付けてある。このために、窪み部３３，３４の形成されている部分の側壁３１ｂ２，３２ｂには、背面側から切り込み部３１ｘ，３２ｘが形成してある。この切り込み部３１ｘ，３２ｘを備えたことにより、金属プレート７１，７２が、左側枠飾り部品３０を遊技盤１に対して取り付けるときに干渉することがなく、左側枠飾り部品３０を浮き上がることなく取り付けることができる。なお、左側飾り部品３０は、圧入ピン４１を遊技盤１の側に形成した孔に圧入することによって正確な位置にしっかりと取り付けることができる構造となっている。
【００７０】
こうして左側枠飾り部品３０を遊技盤１に対して取り付けると、図９に示す様に、金属プレート先端７１ａ，７２ａが窪み部３３，３４に飛び出した状態となる。この金属プレート先端７１ａ，７２ａは、遊技盤１を中枠Ｂに組み付けたときに、中枠のクランプ爪状の金属製固定具６１，６１により、遊技盤１の表面との間に挟み付けられる。これにより、金属プレート７１ａ，７２ａと金属製固定具６１，６１が導通状態となる。本実施例では、中枠Ｂの各枠部材Ｂ１〜Ｂ４も金属製であり、この中枠Ｂの枠部材Ｂ１〜Ｂ４を介して外枠Ａから遊技島へとアース接続されている。
【００７１】
この結果、合成樹脂製の外レール２１に対して金属製の遊技球ｐｑが擦れながら誘導される際に、外レール２１側に静電気が蓄積される様な現象が生じたとしても、裏面の金属プレート７１，７２及び金属製固定部材６１，６１を介してアース接続されることにより外レール２１から静電気を除去することができる。これにより、ＬＥＤ基板などが静電気の影響を受けることを防止することができ、合成樹脂製一体成形品として外レール２１を形成したことによって新たに生じる静電気蓄積の問題を有効に解決することができる。しかも、このためのアース接続のための導通が、遊技盤１を中枠Ｂに組み付けたときに自動的に成立し、しかも、金属プレート先端７１ａ，７２ａが遊技盤１の表面と金属製固定具６１，６１との間でしっかりと挟まれることにより、導通不良が生じ難く、金属製プレート７１，７２を複雑に屈曲させて強いバネ性を与える必要もない。
【００７２】
［１０  遊技領域へ飛び出した遊技球の誘導］
本実施例では、上レール２２も、図１３に示す様に、遊技盤１の右上コーナー飾り８１を構成するナイロン製の上側枠飾り部品８０の下側面（遊技領域側の側面）を構成する様に、この上側枠飾り部品８０と一体に合成樹脂射出成形で製造されている。
【００７３】
上側枠飾り部品８０においても、左側枠飾り部品３０と同様に、右上コーナー飾り８１と左上コーナー飾りの一部８２とを連結一体化した構成となっており、右上コーナー飾り８１及び左上コーナー飾りの一部８２は、正面の平板部８１ａ，８２ａの周縁部から後方に伸びる側壁部８１ｂ，８２ｂを備え、背面側が開放された箱枠状の部分として構成されている。これら側壁部８１ｂ，８２ｂの末端（遊技盤側の端面）は面一となり、かつ、左右のコーナー飾り８１，８２の上側の側壁部は帯板状に連続一体化されている。
【００７４】
さらに、各コーナー飾り８１，８２の平板部８１ａ，８２ａの背面側には、後方へ伸びる圧入ピン４１と、位置決め用のピン４２を挿通する挿通孔８１ｃ，８２ｃも形成されている。
【００７５】
また、上レール２２は、その全長に渡り、レール幅の中心部に沿って打球を誘導する誘導溝２２ｂを備えている。この誘導溝２２ｂは、外レール２１の誘導溝２１ｂの上端部と同じ溝深さを有し、レール幅の中心部を溝の底２２ｃとして遊技盤１及び遊技盤１を覆うガラス板に向かって平面部が伸びる下向き外開きの斜面２２ｄ，２２ｅを有する断面形状とされている。
【００７６】
この様な誘導溝２１ｂを形成するに当たり、上側枠飾り部品８０の遊技領域側の側面の断面形状は、下向きＹ字状で、斜面２２ｄ，２２ｅの先端が共に自由端となる断面形状に構成されている。このため、上側枠飾り部品８０の正面側にＶ字状正面溝２２ｆが刻設された態様の形状となっている。
【００７７】
この上側枠飾り部品８０は、左側枠飾り部品３０と同様に、圧入ピン４１を遊技盤１の孔に圧入することによって正しい位置に取り付けられる。このとき、外レール２１の上端縁に対して、上レール２２の左端縁が下方に飛び出すことがない様に、若干上方に控えた状態となる様に取り付けることとしている。これにより、外レール２１に誘導されて飛び出した遊技球が上レール２２の左端部に衝突してしまうということがなく、スムーズに右方向へと誘導される。これにより、右打ちによる大当たり消化機能を備えた様なパチンコ機において、遊技領域１０へ勢いよく飛び出させた遊技球を上レール２２の誘導溝２２ｂでレール幅の中心に幅寄せしつつ右方向へと安定的に飛翔させることができる。
【００７８】
なお、本実施例では、右レール２３についても合成樹脂製とし、右側のコーナー飾りと一体に射出成形した右側枠飾り部品９０の左側面として構成されている。この右レール２３は全体が平坦面で構成され、特に誘導溝は設けていない。これは、右レール２３は遊技領域１０の右側を区画する役割を担うものであって、打球の誘導はその役割としては特に考慮したものではないからである。なお、右側枠飾り部品９０は、左側枠飾り部品３０に対して上側枠飾り部品８０を外側へ控える様に取り付けたのとは異なり、上部内側面が積極的に打球を衝突させる様に飛び出した形状となっている。これは、右打ちの打球が下方へ速やかに進路を変えて右側に設けられている障害釘に対してよく絡み、右側の入賞口へと適度なバランスで入賞する様にさせるためである。
【００７９】
内レール２４は、コーナー飾りとは一体化されていないが、合成樹脂射出成形品として製造されている。この内レール２４は、外レール２１と共同して打球誘導路Ｌを形成する役割の他に、遊技領域１０の左下側部分を区画してアウト口１５へと遊技球をスムーズに誘導させる役割も担っている。
【００８０】
以上説明した実施例によれば、外レール２１の取り付けは合成樹脂成形品として背面側に一体に突設された圧入ピン４１を遊技盤面のピン孔へと圧入することによって行うことができるので、取付位置を正確なものとすることができる。そして、外レール２１の内レール２２に対面する側の面は、着弾位置Ｎの付近が平坦面２１ａとなっているので、着弾した打球は発射方向へ向かう力を平坦面に一点で当たって単純に規制されるだけであり、その後、平坦面に沿って上昇した後、誘導溝２１ｂによってレール幅の中心部を通る様に軌跡の中心を規制された状態で誘導される。このとき、誘導溝２１ｂによる規制は、溝の深さｄが浅い部分ではそれほど強いものではなく、徐々に溝の深さｄが深くなることで、平坦面２１ａとの連続性が確保されると共に、レール幅の中心部に沿った状態へと徐々に整えられる。この結果、発射・着弾直後の飛び方が不安定な状態の遊技球ｐｑは単純な衝突状態となって無理な規制力は作用せず、スムーズな誘導により、遊技球ｐｑがガラス板や遊技盤１に衝突して失速する状態を生じない様にすることができる。
【００８１】
また、誘導溝２１ｂを横向き外開きの斜面２１ｄ，２１ｅを有する断面形状、即ち、横向きＶ字状の溝とすることにより、レール幅の中心部に向かってスムーズに打球を寄せることができる。即ち、打球は遊技盤側の斜面２１ｄとガラス板側の斜面２１ｅとの二点で接するだけなので、失速し難く、スムーズな誘導を実現することができる。
【００８２】
さらに、溝深さｄが徐々に深くなる横向きＶ字面を構成する斜面２１ｄ，２１ｅ同士が同一角度のままで溝深さｄが徐々に深くなる様に構成したことにより、遊技球ｐｑをその発射方向に沿ってうまく逃がしながら打球を誘導することができる。また、外レール２１が上方へ伸び、内側へ湾曲し始める位置付近からは遊技球ｐｑと外レール２１との接触状態は遠心力の作用による安定した状態となることで、遊技球ｐｑに無理な力を加えることなく遊技領域１０へとスムーズに誘導することができる。
【００８３】
加えて、左側枠飾り部品３０の右側面、上側枠飾り部品８０の下面を誘導溝付の誘導レールとしたことで、遊技球の誘導という役割を担う外レール２１及び上レール２２を頑丈なものとすることができ、枠飾り部品３０，８０の取り付けにより、外レール２１及び上レール２２の取り付けも同時に実行できるというメリットがある。
【００８４】
また、Ｖ字溝となる誘導溝２１ｂ，２２ｂを形成する方法として枠飾り部品３０，８０の遊技領域側の側面の断面形状をＹ字状断面としたことで、射出成形用の金型として分割中子等を用いなくてもよく、一体成形品として誘導溝付の誘導レールを低コストで製造することができる。また、断面Ｙ字状とすることで、ガラス板側の斜面２１ｅ，２２ｅも遊技盤側の斜面２１ｄ，２２ｄもその縁が自由端となり、遊技球を受け止めた場合にガラス板側・遊技盤側のいずれの方向にも偏った拘束力を発生させないから、これによても打球の誘導をスムーズにする効果を高めている。
【００８５】
さらに、スペーサ部材５０により、着弾位置Ｎの付近について外レール２１の補強ができると共に、左側枠飾り部品３０とは別体であるから、その補強位置を適宜微調整することができ、合成樹脂製としたことによる外レール２１の着弾に対する強度不足が生じたとしても、これを補うことができる。
【００８６】
そして、スペーサ部材５０が平板部５１と裏面のリブ５２とによって構成され、箱枠状の空間に備えたピン３２ｐ、爪３２ｑ、ボス３２ｒで外レール２１の湾曲に沿って撓ませた状態で装着するので、スペーサ部材５０は撓みを解消する方向への曲げ応力を蓄えることとなり、外レール２１の着弾位置Ｎの付近の裏側をしっかりと補強することができる。
【００８７】
加えて、外レール２１を合成樹脂製としたために遊技球ｐｑとの擦れによって静電気が生じ易くなっているが、金属プレート７１，７２と金属製固定具６１，６１を介して静電気を除去することができ、しかも、そのための金属プレート７１，７２は単純に平板を打ち抜いたものでよく、かつ、遊技盤１を中枠Ｂに組み付ける作業によってアース接続のための導通が自動的に確保される。
【００８８】
そして、実施例によれば、取り付け作業を精度よく容易に実行することができる合成樹脂製の打球誘導レール（外レール）を用いて、遊技球の飛び出し位置を安定化させることができる。
【００８９】
以上、発明を実施形態として実施例１を説明したが、本発明は、これに限定されるものではなく、その要旨を逸脱しない範囲内における種々の変更が可能である。
【００９０】
例えば、実施例では、外レール２１と上レール２２を別部品としたが、左上下のコーナー飾りと右上のコーナー飾りを一体成形品として外レール２１と上レール２２を一体の部品としても構わない。
【００９１】
また、金属プレート７１，７２は、平板打ち抜き品に限るものではなく、その先端７１ａ，７２ａを前方へ屈曲させておいても構わない。
【００９２】
さらに、実施例では、中枠Ｂを上下左右の枠部材Ｂ１〜Ｂ４を組み立てた組立体で構成したが、一体構成の枠としてあっても構わない。
【００９３】
さらに、クランプ爪状の金属製固定具６１，６１から先の導通は、中枠Ｂの金属製の構造を利用する以外に、金属製固定具６１，６１に達する導通路を別途設けても構わない。
【産業上の利用可能性】
【００９４】
本発明はパチンコ機に利用することができる。
【符号の説明】
【００９５】
１・・・遊技盤、２・・・液晶表示装置、３・・・センター役物、１０・・・遊技領域、１１・・・始動入賞口、１２・・・センター飾り、１３・・・特別入賞口、１５・・・アウト口、１６・・・左下普通入賞口、１７・・・右下普通入賞口
２０・・・誘導レール
２１・・・外レール、２１ａ・・・平坦面、２１ｂ・・・誘導溝、２１ｃ・・・溝底、２１ｄ，２１ｅ・・・斜面、２１ｆ・・・Ｖ字状正面溝、２１ｇ・・・凹入部、２１ｈ・・・セル返し当接部
２２・・・上レール、２２ｂ・・・誘導溝、２２ｃ・・・溝底、２２ｄ，２２ｅ・・・斜面、２２ｆ・・・Ｖ字状正面溝
２３・・・右レール
２４・・・内レール
２５・・・戻り防止片
３０・・・左側枠飾り部品
３１・・・左上コーナー飾り、３１ａ１・・・左上コーナー上部平板部、３１ａ２・・・左上コーナー下部平板部、３１ｂ１，３１ｂ２・・・側壁部、３１ｃ・・・挿通孔、３１ｄ・・・ボス、３１ｅ・・・井桁状リブ、３１ｘ・・・切り込み部
３２・・・左下コーナー飾り、３２ａ・・・左下コーナー平板部、３２ｂ・・・側壁部、３２ｃ・・・挿通孔、３２ｐ・・・ピン、３２ｑ・・・爪、３２ｒ・・・挿通孔用ボス、３２ｘ・・・切り込み部
３３，３４・・・窪み部
４１・・・圧入ピン、４２・・・位置決め用のピン
５０・・・スペーサ部材、５１・・・平板部、５２・・・リブ
６１・・・クランプ爪状の金属製固定具、６２・・・摘み状の合成樹脂製固定具
７１，７２・・・金属プレート、７１ａ，７２ａ・・・金属プレート先端
８０・・・上側枠飾り部品、８１・・・右上コーナー飾り、８２・・・左上コーナー飾りの一部、８１ａ，８２ａ・・・平板部、８１ｂ，８２ｂ・・・側壁部、８１ｃ，８２ｃ・・・挿通孔
９０・・・右側枠飾り部品
Ａ・・・外枠、Ａ１・・・セル返し、Ｂ・・・中枠、Ｂ１・・・上枠部材、Ｂ２・・・下枠部材、Ｂ３・・・左枠部材、Ｂ４・・・右枠部材、Ｂ５・・・遊技盤保持部、Ｂ６・・・球タンク、Ｄ・・・前枠、Ｅ・・・上の球受け皿、Ｆ・・・下の球受け皿、Ｇ・・・打球発射装置、Ｇ１・・・操作ハンドル、Ｇ２・・・ボリュームスイッチ、Ｇ３・・・発射ハンマー、Ｇ４・・・発射レール、Ｈ・・・施錠装置、Ｌ・・・打球誘導路、Ｍ・・・打球飛翔軌跡、Ｎ・・・着弾位置、Ｐ・・・パチンコ遊技機、ｐｑ・・・遊技球、Ｑ・・・切れ目、Ｒ・・・実質的に幅寄せ開始する位置
【図１】
0005406160.tif 000002
【図２】
0005406160.tif 000003
【図３】
0005406160.tif 000004
【図４】
0005406160.tif 000005
【図５】
0005406160.tif 000006
【図６】
0005406160.tif 000007
【図７】
0005406160.tif 000008
【図８】
0005406160.tif 000009
【図９】
0005406160.tif 000010
【図１０】
0005406160.tif 000011
【図１１】
0005406160.tif 000012
【図１２】
0005406160.tif 000013
【図１３】
0005406160.tif 000014
【図１４】
0005406160.tif 000015
【図１５】
0005406160.tif 000016
【図１６】
0005406160.tif 000017
【図１７】
0005406160.tif 000018
【図１８】
0005406160.tif 000019